(57)【要約】  本発明は、商用車のための乾燥剤カートリッジ（１４）であって、乾燥剤カートリッジは乾燥剤カートリッジケーシング（３５）を有し、乾燥剤カートリッジケーシングが上方に対して蓋（４２）により、かつ下方に対して支持部材（３８）により画定されており、更に、乾燥剤カートリッジは乾燥剤容器（３６）を有し、乾燥剤容器が乾燥剤カートリッジケーシング（３５）内に受容されている形式のものに関する。本発明に基づき、乾燥剤容器（３６）が形状結合により乾燥剤カートリッジケーシング（３５）に結合されている。
2013510759.tif 000002
【特許請求の範囲】
【請求項１】
商用車のための乾燥剤カートリッジ（１４）において、
乾燥剤カートリッジケーシング（３５）を有し、該乾燥剤カートリッジケーシングが上方に対して蓋（４２）により画定され、かつ下方に対して支持部材（３８）により画定されており、
乾燥剤容器（３６）を有し、該乾燥剤容器が前記乾燥剤カートリッジケーシング（３５）内に受容されており、
前記乾燥剤容器（３６）が形状結合により前記乾燥剤カートリッジケーシング（３５）に結合されていることを特徴とする、乾燥剤カートリッジ。
【請求項２】
乾燥剤容器（３６）に乾燥剤が収容されている請求項１に記載の乾燥剤カートリッジ。
【請求項３】
乾燥剤容器（３６）が、切欠き内に受容された少なくとも１つのピンにより支持部材（３８）に結合されている請求項１又は２に記載の乾燥剤カートリッジ。
【請求項４】
乾燥剤容器（３６）が少なくとも１つのピン（５２）を有しており、該ピンが、支持部材（３８）の切欠き（５４）内に受容されている請求項３に記載の乾燥剤カートリッジ。
【請求項５】
乾燥剤容器（３６）が少なくとも１つの切欠きを有しており、該切欠きが支持部材のピンを受容している請求項３又は４に記載の乾燥剤カートリッジ。
【請求項６】
乾燥剤容器（３６）が上方の端部に乾燥剤蓋（４０）を有しており、該乾燥剤蓋が形状結合により蓋（４２）に結合されている請求項１から５のいずれか１項に記載の乾燥剤カートリッジ。
【請求項７】
乾燥剤蓋（４０）が、少なくとも１つの乾燥剤蓋リブ（５８）を含んでおり、該乾燥剤蓋リブが形状結合により、蓋（４２）の少なくとも１つの蓋リブ（５６）に結合されている請求項１から６のいずれか１項に記載の乾燥剤カートリッジ。
【請求項８】
乾燥剤蓋（４０）が、１つよりも多い乾燥剤蓋リブ（５８）を含んでいる請求項７に記載の乾燥剤カートリッジ。
【請求項９】
各乾燥剤蓋リブ（５８）が、各２つの蓋リブ（５６）間に受容されている請求項７又は８に記載の乾燥剤カートリッジ。
【請求項１０】
乾燥剤カートリッジ（１４）が、商用車の空気処理システム（１０）のケーシング（１２）のピン（３０）の受容のための横断面の異なる少なくとも２つの切欠き（３２）を有している請求項１から９のいずれか１項に記載の乾燥剤カートリッジ。
【請求項１１】
商用車のための空気処理システム（１０）において、請求項１から１０のいずれか１項に記載の乾燥剤カートリッジ（１４）を備えていることを特徴とする、空気処理システム。
【発明の詳細な説明】
【技術分野】
【０００１】
本発明は、ケーシングに受容された乾燥剤容器を備える乾燥剤カートリッジ並びにこの種の乾燥剤カートリッジを備える空気処理システムに関する。
【０００２】
この種の空気処理装置若しくは乾燥剤カートリッジは、商用車、特にトラックやトラクターに用いられる。このような商用車は、多くの場合に１つ若しくは複数の圧力空気消費器を有しており、圧力空気消費器は、処理された圧力空気の供給を受けなければならない。典型的な圧力空気消費器は、例えば圧力空気式ブレーキシステムや空気ばね、更には駐車ブレーキシステム等である。商用車における圧力空気の供給のために、圧力空気供給装置が設けられており、圧力空気供給装置は特に空気処理システムを備えている。空気処理システムは、特に乾燥及び清浄された圧力空気を提供できるようになっていなければならない。このために、空気処理システムは一般的に、空気を乾燥させるための空気乾燥装置を備えており、空気乾燥装置は、多くの場合に空気のフィルタリングのためのフィルター装置をも備えている。フィルターの取り替えや特に乾燥剤の取り替え若しくは容易な保守のために、一般的に、乾燥剤カートリッジが、空気処理システムに結合される若しくは空気処理システム内に差し込まれる空気乾燥装置として用いられる。空気乾燥装置を空気処理システムに結合するために、バヨネット式結合部若しくはバヨネット錠が用いられるものである。バヨネット式結合部若しくはバヨネット錠は、差し込み・回動式結合部を介して空気乾燥装置と空気処理システムとを結合するようになっている。乾燥剤カートリッジと空気処理システムとを結合するバヨネット錠のための例が、ドイツ連邦共和国特許出願公開第１０２００６０３７３１１Ａ１号明細書に開示されており、記載内容は本発明の理解のために用いられるものである。
【０００３】
乾燥剤カートリッジを空気処理システムに取り付け若しくは空気処理システムから取り外す際には、トルクが、空気処理システム及び乾燥剤カートリッジの種々の構成要素に作用させられる。例えばバヨネット錠のバヨネットリングを、空気処理システムへの乾燥剤カートリッジの固定のために用いる場合には、バヨネットリングの回動により、トルクが、空気処理システムのケーシング、乾燥剤カートリッジ、並びに乾燥剤カートリッジを取り囲むカバーケーシングに作用させられる。トルクにより、構成要素は互いに相対的に回動させられることになり、その結果、バヨネット錠の機能特性が損なわれ、またバヨネット錠の耐用年数が減少されてしまうことになる。
【０００４】
特に、個々の構成要素の、バヨネットリングにより覆われるバヨネット突起が互いに合同に重なり合わないことが発生し得るものであり、空気処理システムが圧力で負荷されると、最適でない不均一な力伝達が生じてしまうことになる。更に、乾燥剤カートリッジの取り外しに際しては、バヨネット突起が合同に重なり合っていない場合には、バヨネットリングを場合によって外しにくい、或いは全く外せないという問題がある。正確に機能できない若しくは完全に機能できないバヨネット錠は、安全上の著しいリスクを有することになる。更に、乾燥剤カートリッジ若しくは空気処理システムの互いに回動されて正確に位置決めされていない構成要素は、空気貫流を不均一なものにし、ひいては空気処理システムの能率を低下させてしまうことになる。
【０００５】
従って、空気処理システムの改良並びに乾燥剤カートリッジを改良する必要がある。
【０００６】
本発明の課題は、回動防止されかつ良好に整合された構成要素を備えた空気処理システムを提供することである。
【０００７】
本発明の上記課題が、独立請求項に記載の構成により解決される。本発明の有利な形態が従属請求項に記載してある。
【０００８】
本発明の構成によれば、商用車のための乾燥剤カートリッジにおいて、乾燥剤カートリッジが、乾燥剤カートリッジケーシングを有しており、乾燥剤カートリッジケーシングは上方に対して蓋により画定され、かつ下方に対して支持部材又は支持要素により画定されている。更に乾燥剤カートリッジが、乾燥剤容器を有しており、乾燥剤容器は乾燥剤カートリッジケーシング内に受容されている。この場合に、乾燥剤容器が形状結合（形状による拘束又は束縛）により乾燥剤カートリッジケーシングに結合されている。特に、乾燥剤容器が乾燥剤を含んでいてよい。本発明により、乾燥剤容器と乾燥剤カートリッジケーシングとが簡単に互いに正確に整合され、その結果、所望の角度位置が得られ、運転時に空気が均一に流過できる。更に、形状結合による結合は、乾燥剤カートリッジの構成要素が正確に組み立てられたか否かを容易に識別することを可能にするので、乾燥剤カートリッジの製造が容易に行われる。更に、形状結合による結合は、乾燥剤カートリッジケーシングと乾燥剤容器との間の、これらの構成要素間の回動防止の改良につながる連結を行うものである。
【０００９】
本発明の形態によれば、乾燥剤容器は、切欠き内に受容された少なくとも１つのピンにより支持部材に結合されている。ピン及び所属する切欠きとは、製造の際に簡単なプロセスによって設けられて、簡単な組立につながる形状結合による確実な結合を可能にするものである。更に、切欠き内に正確に差し込まれないピンは、直ちに構成要素間相互の傾きを発生させてしまい、その結果、組立不良が明瞭に認められるようになっている。
【００１０】
有利な形態によれば、乾燥剤容器が少なくとも１つのピンを有しており、ピンが、支持部材の切欠き内に受容されている。可能な別の形態によれば、乾燥剤容器が少なくとも１つの切欠きを有しており、切欠きが支持部材のピンを受容している。更に可能な形態によれば、乾燥剤容器がピン及び切欠きを有しており、乾燥剤容器のピン及び切欠きが、支持部材の所属する切欠き及びピンと協働するようになっている。このような組み合わせは、特に良好で安定した形状結合による結合を提供するものである。
【００１１】
別の形態によれば、乾燥剤容器が乾燥剤蓋を有しており、乾燥剤蓋が形状結合によりカバーに結合されている。これにより、上方の構成要素が互いに連結されている。特に有利には、乾燥剤容器がその蓋領域で乾燥剤カートリッジケーシングの蓋に、かつその下方の領域で支持部材に形状結合による結合されている。これにより、乾燥剤カートリッジの構成要素の内部の回動が避けられる。
【００１２】
特に有利な形態によれば、乾燥剤蓋が、少なくとも１つの乾燥剤蓋リブを含んでおり、乾燥剤蓋リブが形状結合により、蓋の少なくとも１つの蓋リブに結合されている。この場合に、乾燥剤蓋は、有利には１つよりも多い乾燥剤蓋リブを含んでいる。リブ構造は、安定的な構成を可能にし、同時に空気流過を可能にするものである。特に有利には、１つの乾燥剤蓋リブが、２つの蓋リブ間に配置されている。これにより、蓋リブは、乾燥剤蓋リブのための一種の案内を形成しており、該案内は一面において、要求される正確な組立を可能にするものである。他面において、回動の際のリブの連結が得られる。類似の可能な形態によれば、１つの蓋リブが２つの乾燥剤蓋リブ間に受容されている。これらのリブ配置の組み合わせも合目的である。
【００１３】
特に有利には、蓋リブと乾燥剤蓋リブとが軸線の方向で互いにほぼ上下に位置している。これにより、リブが少なくとも部分的に重なっていて、空気流過のための大きな横断面を可能にしている。支持部材の領域でもリブを用いる場合には、有利には該リブも軸線方向で蓋リブ及び乾燥剤蓋リブと重なっている。
【００１４】
特に有利な形態によれば、乾燥剤カートリッジは、商用車の空気処理システムのケーシングのピンの受容のための少なくとも１つの切欠きを有している。有利には、乾燥剤カートリッジは、商用車の空気処理システムのケーシングのピンの受容のための横断面の互いに異なる少なくとも２つの切欠きを有している。合目的には、ピンは、その横断面が切欠きの横断面に相応するように形成されている。乾燥剤カートリッジは、ケーシングの切欠き内への受容のために設けられる１つ若しくは複数のピンをも有していてよく、若しくは少なくとも１つのピン及び少なくとも１つの切欠きを有していてよい。ピン及び所属する切欠きによって、乾燥剤カートリッジに対するケーシングの回動防止が達成される。異なる横断面形状により、所望の角度整合位置でのケーシングへの乾燥剤カートリッジの組み付けが保証される。
【００１５】
本発明は、商用車のための、前述の乾燥剤カートリッジを備えた空気処理システムをも含んでいる。
【００１６】
更に、本発明は、商用車のための次のような空気処理システムに関し、該空気処理システムは、ケーシング、ケーシングに結合されている若しくは結合可能となっている乾燥剤カートリッジ、及び乾燥剤カートリッジをカバーするためのカバーケーシングを有している。カバーケーシングは、形状結合により乾燥剤カートリッジに結合されている若しくは結合可能となっている。特に、カバーケーシングは、乾燥剤カートリッジとは別個に形成されていてよく、ようやく乾燥剤カートリッジの組み付け又は組立の際に、カバーケーシングが乾燥剤カートリッジの、ケーシングから自由に突出する部分を覆って保護するように、組み付けられてよい。乾燥剤カートリッジとカバーケーシングとの間の形状結合による結合は、正確な組付けを容易にし、回動運動の際にカバーケーシングと乾燥剤カートリッジとを連結することになり、その結果、トルクの作用時におけるこれらの構成要素間の相互の回動が避けられるようになっている。
【００１７】
特に有利には、カバーケーシングがピンを有しており、ピンが乾燥剤カートリッジの切欠き内に受容されている。別の形態によれば、カバーケーシングが切欠きを有しており、切欠き内に乾燥剤カートリッジのピンが受容されている。最適には組合せもあり、この場合には、カバーケーシングも乾燥剤カートリッジもそれぞれ少なくとも１つのピン及び１つの切欠きを有している。
【００１８】
特に有利な形態によれば、乾燥剤カートリッジとケーシングとがバヨネット錠によって結合されている若しくは結合可能となっている。乾燥剤カートリッジとケーシングとカバーケーシングとも、バヨネット錠によって結合されていてよく若しくは結合可能となっていてよい。バヨネット錠は、構成高さの低い場合の確実かつ良好な結合を提供するものである。
【００１９】
特に有利には、乾燥剤カートリッジは、カバーケーシングのピンの受容のための切欠きを備えたバヨネット突起を有している。このような構成は、バヨネット錠を使用する場合に、カバーケーシングと乾燥剤カートリッジとが一般的にそのバヨネット突起の領域で互いに接触しており、従って既に存在する構造部分がピン及び切欠きの形成のために用いられるので実用的である。更に、バヨネット錠は、形状結合による結合部を成形する装置の形成のために特に良好に適する突出した構造部分を提供するものである。
【００２０】
更に本発明の形態によれば、乾燥剤カートリッジとケーシングとが、切欠き内に配置された少なくとも１つのピンによって互いに結合されている。特に有利には、乾燥剤カートリッジは、横断面の互いに異なる２つ若しくは複数の切欠きを有しており、切欠きが、ケーシングの対応するピンを受容するように形成されている。有利には、ピンは、その横断面が切欠きの横断面に相応するように形成されている。乾燥剤カートリッジは、ケーシングの切欠き内への受容のために設けられる１つ若しくは複数のピンをも有していてよく、若しくは少なくとも１つのピン及び少なくとも１つの切欠きを有していてよい。ピン及び所属する切欠きによって、乾燥剤カートリッジに対するケーシングの回動防止が達成される。異なる横断面形状により、所望の角度整合位置でのケーシングへの乾燥剤カートリッジの組み付けが保証される。つまり全体的に、ケーシング、乾燥剤カートリッジ及びカバーケーシングの連結、ひいてはこれに伴う回動防止が達成される。
【００２１】
特に有利には、乾燥剤カートリッジは、前述の乾燥剤カートリッジである。
【００２２】
次に、本発明を図示の実施の形態に基づき説明する。
【図面の簡単な説明】
【００２３】
【図１】空気処理システムの縦断面図である。
【図２】乾燥剤カートリッジを下方から見た図である。
【図３】カバーケーシングと空気ドライヤーカートリッジとの間の形状結合による結合部を側方から見て示す図である。
【図４】支持部材と乾燥剤容器との間の形状結合による結合部を下方から見て示す図である。
【図５】乾燥剤蓋と乾燥剤カートリッジの蓋との間の形状結合による結合部の縦断面図である。
【００２４】
図１は、空気処理システムの縦断面を示している。ケーシング１２を備える空気処理システム１０が示されており、ケーシング１２に乾燥剤カートリッジ１４が受容されている。乾燥剤カートリッジ１４は、上方からカバーケーシング１６により覆われ、つまりカバーされる。バヨネットリング２０を備えるバヨネット錠１８は、空気処理システム１０のケーシング１２、乾燥剤カートリッジ１４及びカバーケーシング１６を互いに結合するものである。このために、図示の実施の形態では、図面で見て左側及び右側にそれぞれ、バヨネットリング２０の１つのバヨネット突起２２、カバーケーシング１６の１つのバヨネット突起２４、乾燥剤カートリッジ１４のバヨネット突起２６、並びにケーシング１２の１つのバヨネット突起２８が設けられており、これらは周知の形式で互いに協働するようになっている。図示のように各２つのバヨネット突起２２，２４，２６，２８を設けることは、必須ではなく、その代わりに、構成要素毎に１つだけ若しくは２つより多い数のバヨネット突起２２，２４，２６，２８を設けることもできる。周知のように、バヨネット錠１８のリング２０は、乾燥剤カートリッジ１４及びカバーケーシング１６を解放するために回動可能である。
【００２５】
ケーシング１２が１つのピン３０を有しており、ピンが乾燥剤カートリッジ１４の相応の切欠き３２内に受容されている。切欠き３２とピン３０とのこのような協働作用により、乾燥剤カートリッジ１４は、空気処理システム１０のケーシング１２に対して回動防止されている。ピン３０若しくは切欠き３２とはそれぞれ異なって形成されている他の１つのケーシングピン並びに乾燥剤カートリッジの対応する１つの切欠きは、図示されていない。
【００２６】
つまり、図示の実施の形態においては、ケーシングピン３０のための互いに異なって形成された２つの切欠き３２が設けられており、従って該切欠きは、互いに異なって形成されたケーシングピン３０を受容するようになっている。このような構成により、ケーシング１２への乾燥剤カートリッジ１４の誤った装着が避けられる。もちろん、任意の適切な数のケーシングピン及び所属する切欠きが設けられてよい。
【００２７】
乾燥剤カートリッジ１４は、乾燥剤容器３６及び支持部材３８を含んでいる。乾燥剤容器３６内に、空気の乾燥のための乾燥剤（図示省略）並びに空気の清浄のためのフィルターが受容されている。更に、乾燥剤容器３６には、周囲に分配して配置された複数のリブ３７が設けられており、該リブのうちの２つが図１に示されている。リブ３７は、適切な数（図示の実施の形態ではリブが１２個）で設けられてよいものであり、これにより、リブは、一面では十分な安定性を提供し、かつ他面では空気流を過度に妨げないようになっている。乾燥剤カートリッジ１４の上方の端部に、乾燥剤蓋４０が設けられており、乾燥剤蓋は乾燥剤容器３６を上方に対して画定している。乾燥剤カートリッジ１４自体は、上方に対して固有の蓋４２により画定されており、該蓋は、乾燥剤蓋４０の上側に位置していて、カバーケーシング１６内に配置されている。ばね４４が、乾燥剤蓋４０に支えられていて、乾燥剤容器３６を支持部材３８とカバー４２との間に締め付けている。つまり、乾燥剤容器３６は、側壁を備える乾燥剤カートリッジケーシング３５内に受容されており、乾燥剤カートリッジケーシングが、上方に対して蓋４２により画定され、かつ下方に対して支持部材３８により画定されている。この場合に、乾燥剤カートリッジケーシング３５は、それが適切に選ばれた部位において、乾燥剤容器３６への若しくは乾燥剤容器からの、運転時に所望される空気流を許すために、通気性であるように形成されていてよい。更に可能な構成として、乾燥剤カートリッジケーシング３５の側壁と蓋４２とは、例えば側壁が蓋４２から耳片状に突出するようにして、一体に形成されていてよいものである。乾燥剤カートリッジ１４は、乾燥剤カートリッジケーシング３５並びにその中にある構成要素を含んでいる。カバーケーシング１６はそれとは別個に形成されていて、カバーケーシングを空気処理システム１０のケーシング１２に組み付けた場合に、乾燥剤カートリッジ１４を覆い、密閉しかつ保護するために用いられるものである。
【００２８】
図２には、乾燥剤カートリッジ１４が下方から見て示してある。外側に配置された環状の構造部は、乾燥剤カートリッジ１４の複数のバヨネット突起２６を含んでいる。更に、バヨネット突起２６の１つに設けられた切欠き３４が見て取れ、切欠きは、カバーケーシング１６のピン５０を受容するようになっている。他の突起２６は、凹部４８を有しており、凹部は、乾燥剤カートリッジ１４をケーシング１２から持ち上げるために、ねじ回しのような工具のためのスペースを提供することにより、乾燥剤カートリッジ１４の取り外しを容易にするものである。
【００２９】
支持部材３８は、換気穴４６及び支持リブ３９を有している。更に、ケーシング１２の異なって形成されたピン３０の受容のための異なって形成された切欠き３２が設けられている。少し明るい構造部は、乾燥剤容器３６の下面を成しており、乾燥剤容器は、この図では部分的に支持部材３８によって覆われている。見て取れるように、支持部材３８と乾燥剤容器３６とは、乾燥剤容器３６のリブ３７と支持リブ３９とが直接に上下に位置し、従って、貫流する空気のための不必要な空気抵抗が生じないように、互いに角度整合されている。この場合に、リブ３７と支持リブ３９とを同一の数で設ける必要はない。図示の実施の形態では、リブ３７の数は支持リブ３９の数の半分であり、これにより、乾燥剤容器３６の十分な安定性が得られる。
【００３０】
図３は、カバーケーシング１６が乾燥剤カートリッジ１４に結合されている状態を側方から見て示している。カバーケーシング１６の突起２４が、乾燥剤カートリッジ１４の突起２６上に載せられている。突起２６の切欠き３４内に、カバーケーシング１６から下方へ向けられたカバーケーシングピン５０が差し込まれており、カバーケーシングピン５０は図３では切欠き３４を覆っている。
【００３１】
図４は、乾燥剤カートリッジ１４を下方から見た部分図である。支持部材３８の支持リブ３９が明確に見て取れる。乾燥剤容器３６は、支持部材３８の上側に配置されている。乾燥剤容器には１つの容器ピン５２が設けられており、容器ピン５２は支持部材３８の支持体切欠き５４内に嵌め込まれている。このような構成によって、支持部材３８と乾燥剤容器３６とを形状結合（形状による拘束又は束縛）により互いに結合し、かつ互いに正確に整合することが保証され、そうでない場合には、これらの構成要素は、組立に際して組み合わされないか、或いは互いに明らかに傾いた状態でしか組み合わされないからである。前述の構成により、乾燥剤カートリッジ１４の製造に際してすでに、支持部材３８及び乾燥剤容器３６の正確な角度整合が達成されている。複数の容器ピン５２及び所属する支持体切欠き５４を設けることができ、各容器ピン５２及び支持体切欠き５４は、合目的には、乾燥剤容器３６と支持部材３８との間の一義的な位置決め若しくは整合を保証するために、互いに異なって形成される。
【００３２】
図５は、乾燥剤カートリッジ１４の上方の蓋領域の縦断面を示している。蓋４２と乾燥剤蓋４０とは同じく形状結合により互いに結合されており、その結果、蓋４２と乾燥剤蓋４０との間の正確に規定された角度整合が生じている。このために、複数の乾燥剤蓋リブ５８が乾燥剤蓋４０に設けられており、乾燥剤蓋リブ５８の１つが図示されている。他方、蓋４２が、下方へ乾燥剤蓋４０に向かって突出する複数の蓋リブ５６を有しており、蓋リブの各２つがそれぞれ１つの乾燥剤蓋リブ５８を取り囲んでいる。乾燥剤蓋リブ５８と所属する蓋リブ５６との間には、乾燥剤蓋４０への蓋４２の組み付けを容易にするために、わずかな遊びが存在している。このようなリブ配置により、蓋４２と乾燥剤蓋４０とは、所望の位置で相対している。更に、組み付けの際に、所望の位置が得られていない場合には、突出しているリブが構成要素を相対的に傾倒させるので、所望の位置が容易に調整され、かつ容易に固定される。図示の実施の形態においては、１２の乾燥剤蓋リブ５８が設けられているものの、乾燥剤蓋リブ５８のほかの適切なあらゆる数が考えられる。
【００３３】
図示の実施の形態のピン３０，５０と切欠き３２，３４とは、ケーシング１２と乾燥剤カートリッジ１４とカバーケーシング１６とが相対回動不能に互いに結合されるように、協働している。つまり、バヨネットリング２０が、分解のために、構成要素、即ちケーシング１２、乾燥剤カートリッジ１４及びカバーケーシング１６をバヨネットリングにより互いに結合している位置から回動させられるか、或いは構成要素の組立のために別の方向に回動させられる場合に、構成要素、即ちカバーケーシング１６、乾燥剤カートリッジ１４及びケーシング１２は、切欠き３２と係合するピン３０及び切欠き３４と係合するカバーケーシングピン５０を介して相互に支えられ、従ってバヨネットリングの回転運動によって連行されないようになっている。これによって、構成要素が互いに相対的に回動することが阻止される。
【００３４】
ピンと切欠きとにより形成される、一方で乾燥剤容器３６と支持部材３８との間の、他方で乾燥剤蓋４０と蓋４２との間の形状結合による結合部は、構成要素の互いの回動を阻止するように作用している。更に、構成要素は、すでに乾燥剤カートリッジの製造の際に、構成要素が相互の正確な位置を有し、即ち構成要素が正確に規定された相互の角度整合を有するように、容易に組み立てられるものである。これにより、構成要素は、空気処理システムの運転時において空気のできるだけ一様な流過を達成するために、互いに最適に整合されている。これにより、乾燥能力の向上が達成される。特に形状結合による結合に基づき、次のことが達成され、つまり、蓋リブ５６、乾燥剤蓋リブ５８、リブ３７及び支持リブ３９が軸線方向でほぼ重なっており、これにより、乾燥剤カートリッジ１４の流れ抵抗が減少され、かつ空気流の望ましくない渦が避けられる。
【００３５】
明細書、図面及び特許請求範囲に記載された本発明の構成事項は、個別に、或いは任意に組み合わせて本発明の実施のために用いられるものである。
【符号の説明】
【００３６】
１０  空気処理システム、  １２  ケーシング、  １４  乾燥剤カートリッジ、  １６  カバーケーシング、  １８  バヨネット錠、  ２０  バヨネットリング、  ２２，２４，２６，２８  バヨネット突起、  ３０  ケーシングピン、  ３２，３４  切欠き、  ３５  乾燥剤カートリッジケーシング、  ３６  乾燥剤容器、  ３７  リブ、  ３８  支持部材、  ３９  支持リブ、  ４０  乾燥剤蓋、  ４２  蓋、  ４４  圧縮ばね、  ４６  換気穴、  ４８  凹部、  ５０  カバーケーシングピン、  ５２  容器ピン、  ５４  支持体切欠き、  ５６  蓋リブ、  ５８  乾燥剤蓋リブ
【図１】
2013510759.tif 000003
【図２】
2013510759.tif 000004
【図３】
2013510759.tif 000005
【図４】
2013510759.tif 000006
【図５】
2013510759.tif 000007
【国際調査報告】
2013510759.tif 000008
2013510759.tif 000009
2013510759.tif 000010
2013510759.tif 000011